(57)【要約】【課題】人体の踵位置に正確に対応部位を位置させて適正な着圧のもとで着用することができる靴下の提供。【解決手段】人体の爪先側から足の甲と足裏と踵とを経てくるぶし側へと至る足覆い部１２と、該足覆い部１２と連続して少なくとも人体への下腿側へと至る脛覆い部３２とを含む靴下１１において、足覆い部１２にあってその着用時に踵位置を覆うことが予定されている踵覆い面１５には、踵位置に位置合わせするための位置教示部１６を設けた。【選択図】図１
2006124874.tif 000002
【特許請求の範囲】
【請求項１】
人体の爪先側から足の甲と足裏と踵とを経てくるぶし側へと至る足覆い部と、該足覆い部と連続して少なくとも人体への下腿側へと至る脛覆い部とを含む靴下において、
前記足覆い部にあってその着用時に踵位置を覆うことが予定されている踵覆い面には、踵位置に位置合わせするための位置教示部を設けたことを特徴とする靴下。
【請求項２】
前記位置教示部は、前記踵覆い面を視覚及び／又は触覚による識別が可能な一側境界縁部と他側境界縁部とで仕切ってその着用時に足の左右両面側が位置する部位の出会い部にて出会うように連続させた枠状識別部として形成し、側面視略Ｖ字状となっての視覚及び／又は触覚による識別を可能とした請求項１に記載の靴下。
【請求項３】
前記位置教示部は、前記枠状識別部における一方の出会い部と他方の出会い部との間に架け渡された線状識別部を含めて形成し、側面視略Ｙ字状となっての視覚及び／又は触覚による識別を可能とした請求項２に記載の靴下。
【請求項４】
前記枠状識別部は、その囲枠内の全面をも視覚及び／又は触覚による識別を可能に形成した請求項２または３に記載の靴下。
【請求項５】
少なくとも前記足覆い部におけるくるぶし部分と脛覆い部分とのそれぞれには、その着用時の位置に応じた所要着圧の生成が自在な圧縮力が得られる弾性を付与した請求項１ないし４のいずれかに記載の靴下。
【発明の詳細な説明】
【技術分野】
【０００１】
本発明は、人体の踵位置に対応部位を正確に位置させて適正に着用することができる靴下に関する技術である。
【背景技術】
【０００２】
靴下のなかには、医療用などに用いられる弾性靴下があり、人体の下肢に対し圧縮力を作用させて脚部静脈疾患者の静脈瘤の膨張抑制や脚部のむくみ緩和などを目的として従来から使用されてきている。また、このような弾性靴下においては、下記特許文献１に示されているように脚の足首を覆うくるぶし覆い部分の圧縮力を基準とし、このくるぶし覆い部分の圧縮力を１００とした場合の割合に応じてふくらはぎ覆い部分や大腿覆い部分におけるそれぞれの圧縮力が設定され、この設定された圧縮力に基づいてその着用時にそれぞれの位置にて所定の着圧が生成できるように編成されている。
【特許文献１】特開平２−１９５０１号公報
【０００３】
一方、上記弾性靴下のなかには、深部静脈血栓予防のために着用されるものもあり、このような用途に供される弾性靴下の場合には、通常、白地やベージュ地のもとで編成され、手術時や手術後に院内にて着用されることが多い。
【０００４】
また、手術時や手術後に院内にて着用される上記弾性靴下は、例えば爪先側や足の甲側などに採血などの検査を行う際に利用されるモニターホールを備えたものや爪先側が開口されたものなどが多く用いられている。
【発明の開示】
【発明が解決しようとする課題】
【０００５】
このように白地やベージュ地のもとで編成され、かつ、モニターホールや開口を有する弾性靴下の場合には、これを着用する際に予め定まっている踵覆い部分を見失ったり、モニターホールや開口を介して爪先側が必要以上に飛び出してしまったりして、圧縮力の基準位置である足首に対しそのくるぶし覆い部分を正確に位置させて適正に着用することができなくなる問題があった。
【０００６】
そして、このように正しい位置関係のもとで上記弾性靴下を着用することができない場合には、部位毎に異なる適切な圧縮力を作用させることができないために所要の着圧を得ることができないことから治療効果を減退させるばかりでなく、その部位によっては必要以上の着圧や必要以下の着圧が生成されて、かえって症状を悪化させる逆効果を招いてしまう不都合があった。
【０００７】
本発明は、従来技術にみられた上記課題に鑑み、人体の踵位置に正確に対応部位を位置させて適正な着圧のもとで着用することができる靴下を提供することに目的がある。
【課題を解決するための手段】
【０００８】
本発明は、上記目的を達成すべくなされものであり、人体の爪先側から足の甲と足裏と踵とを経てくるぶし側へと至る足覆い部と、該足覆い部と連続して少なくとも人体の下腿側へと至る脛覆い部とを含む靴下において、前記足覆い部にあってその着用時に踵位置を覆うことが予定されている踵覆い面には、踵位置に位置合わせするための位置教示部を設けたことを最も主要な特徴とする。
【０００９】
この場合、前記位置教示部は、前記踵覆い面を視覚及び／又は触覚による識別が可能な一側境界縁部と他側境界縁部とで仕切ってその着用時に足の左右両面側が位置する部位の出会い部にて出会うように連続させた枠状識別部として形成し、側面視略Ｖ字状となっての視覚及び／又は触覚による識別を可能に形成することができる。また、その場合、前記位置教示部は、前記枠状識別部における一方の出会い部と他方の出会い部との間に架け渡された線状識別部を含めて形成し、側面視略Ｙ字状となっての視覚及び／又は触覚による識別を可能に形成することもできる。さらに、前記枠状識別部は、その囲枠内の全面をも視覚及び／又は触覚による識別を可能に形成することができる。
【００１０】
また、本発明における少なくとも前記足覆い部におけるくるぶし部分と脛覆い部分とのそれぞれには、その着用時の位置に応じた所要着圧の生成が自在な圧縮力が得られる弾性を付与しておくのが望ましい。
【発明の効果】
【００１１】
本発明のうち、請求項１に係る発明によれば、靴下における足覆い部にあってその着用時に踵位置を覆うことが予定されている踵覆い面には、踵位置に位置合わせするための位置教示部が設けられているので、該位置教示部を手掛かりにして、人体の踵位置に足覆い部における対応部位を正確に位置させて着用したり、介護者や看護師により着用させることができる。
【００１２】
また、請求項２に係る発明によれば、前記位置教示部は、側面視略Ｖ字状となっての視覚及び／又は触覚による識別が可能な枠状識別部として形成されているので、例えば判断力に劣る人や目の不自由な人であっても、その着用時に踵位置を覆うことが予定されている踵覆い面を正しく踵位置に位置させて着用することができる。
【００１３】
さらに、請求項３に係る発明によれば、前記位置教示部は、側面視略Ｙ字状となっての視覚及び／又は触覚による識別が可能な枠状識別部として形成されているので、線状識別部を足の甲側に位置させることで、より容易に踵位置を覆うことが予定されている踵覆い面を正しく踵位置に位置させて着用することができる。
【００１４】
また、請求項４に係る発明によれば、前記枠状識別部がその囲枠内の全面を視覚及び／又は触覚による識別を可能に形成されているので、例えば判断力が低下した人や目の不自由な人であっても、その着用時に踵位置を覆うことが予定されている踵覆い面をより容易に正しく踵位置に位置させながら着用することができる。
【００１５】
さらに、請求項５に係る発明によれば、少なくとも前記足覆い部におけるくるぶし部分と脛覆い部分とのそれぞれに対し、その着用時の位置に応じた所要着圧の生成が自在な圧縮力が得られる弾性を付与してあるので、深部静脈血栓予防のために着用する際などであっても、常に正しい位置関係のもとで適切な着圧を生成させながら着用することで所定の治療効果を確実に得ることができる。
【発明を実施するための最良の形態】
【００１６】
図１は、本発明の一例を非着用時の状態のもとで示す左側面図であり、図２は、図１に示す例を着用した状態で示す要部説明図である。
【００１７】
これらの図によれば、クルーソックス又はハイソックスの外形のもとで示される靴下１１は、人体の爪先側に位置する爪先部１３から足の甲と足裏と踵とを経てくるぶし側へと至る足覆い部１２と、該足覆い部１２と連続して人体の下腿側へと至る脛覆い部３２とを備えてその全体が編成されている。
【００１８】
このうち、足覆い部１２は、爪先部１３の上面側にモニターホール１４が設けられており、該モニターホール１４を介してその着用時に採血などの必要な検査や施術を円滑に行うことができるようになっている。
【００１９】
また、足覆い部１２には、レシプロ編みなどで編成されて、その着用時に踵位置を覆うことが予定されている踵覆い面１５に、人体の踵位置を位置合わせするための位置教示部１６が設けられている。
【００２０】
この場合、位置教示部１６は、視覚による識別を可能に適宜の色で着色され、踵覆い面１５を一側境界縁部１８と他側境界縁部１９とで仕切ってその着用時に足の左右両面側が位置する部位の出会い部２０にて出会うように連続させた枠状識別部１７と、該枠状識別部１７における左側の出会い部２０と右側の出会い部（図示せず）との間に同様に着色されて架け渡された線状識別部２１とで形成されている。このため、位置教示部１６は、側面視略Ｙ字状となっての視覚による識別が可能となっている。
【００２１】
また、位置教示部１６は、図３に示すように視覚による識別を可能に適宜の色で着色され、踵覆い面１５を一側境界縁部１８と他側境界縁部１９とで仕切ってその着用時に足の左右両面側が位置する部位の出会い部２０にて出会うように連続させた枠状識別部１７のみとし、側面視略Ｖ字状となっての視覚による識別を可能に形成することもできる。
【００２２】
一方、脛覆い部は、足覆い部１２と連続して人体のくるぶしを経て下腿側へと至る適宜の長さが付与されて編成されている。なお、図中の符号３３は、口ゴム部を示す。
【００２３】
しかも、足覆い部１２におけるくるぶし部位から脛覆い部３２へと至る領域には、その着用時の位置に応じた所要着圧の生成が自在な圧縮力が得られる弾性が付与されて編成されている。
【００２４】
次に、上記構成からなる本発明の用法を、図１に示す例を図２を参酌して説明すれば、例えば患者に対し手術を施す前に、予め下肢側に血栓が発生するのを予防する措置として必要な圧迫をかけておく必要があり、このために靴下１１が着用される。
【００２５】
具体的には、人体の爪先側を脛覆い部３２の口ゴム部３３側から送り込み、足覆い部３２の先端へと爪先部１３が到達するようにして着用する。このとき、靴下１１には、予め踵覆い面１５側に枠状識別部１７と線状識別部２１とからなる位置教示部１６が設けられているので、該位置教示部１６を手掛かりに図２に示すように正確に人体の踵側に踵覆い面１５を位置させて着用したり、介護者や看護師により着用させることができる。
【００２６】
このように靴下１１の着用位置が正確である場合には、脚の足首を覆うくるぶし覆い部分の圧縮力を基準とし、このくるぶし覆い部分の圧縮力を基準に脹ら脛覆い部分や大腿覆い部分におけるそれぞれの圧縮力が設定されてなる弾性により、それぞれの部位に適正な着圧を生成することができることになり、例えば深部静脈血栓予防などのような所定の効果を予定どおりに得ることができることになる。
【００２７】
また、足覆い部１２に図２に示すようなモニターホール１４があっても、該モニターホール１４から爪先を飛び出させて着用するなどの不適切な着用も、位置教示部１６を目視確認することで確実に回避させることができることになる。
【００２８】
以上は、本発明を図示例に基づいて説明したものであり、その具体的な内容はこれに限定されるものではない。例えば、本発明が適用される靴下１１は、少なくとも足覆い部１２と脛覆い部２２とを備えているものでさえあれば、図示例以外のオーバーニーソックスやストッキングの外形を呈するものであってもよい。また、モニターホール１４は、図示例以外の位置に形成することもできるほか、必要によりこれを形成しないこともできる。さらに、本発明が適用される靴下１１は、着用時に人体に爪先側が露出するように開口させたものであってもよい。
【００２９】
また、位置教示部１６は、視覚ではなく触覚により識別することができるようにモーレ編みや重ね編みなどで他の部位よりもその厚さが厚くなるように形成したり、毛羽立たせるなど、手触りでその位置を確認することができる適宜の構造を付与して形成することもできる。さらに、視覚と触覚との両方で識別することができるように位置教示部１６を形成するものであってもよい。したがって、この場合、判断力が低下した人や目の不自由な人であっても、正しい位置関係のもとで靴下１１を着用することができることになる。
【００３０】
さらに、位置教示部１６は、着色糸を編み込んだり、プリント模様として形成することで視覚による識別を可能にして形成することもできる。
【産業上の利用可能性】
【００３１】
以上は、本発明を医療用やむくみ防止用の弾性靴下に適用した場合を例に説明したものであるが、本発明に係る靴下を日常的に着用する一般民生用のものに適用することもできる。
【図面の簡単な説明】
【００３２】
【図１】本発明の一例を非着用時の状態のもとで示す左側面図。
【図２】図１に示す例を着用した状態で示す要部説明図。
【図３】本発明の他例を図２に対応させて示す要部説明図。
【符号の説明】
【００３３】
１１  靴下
１２  足覆い部
１３  爪先部
１４  モニターホール
１５  踵覆い部
１６  位置教示部
１７  枠状識別部
１８  一側境界縁部
１９  他側境界縁部
２０  出会い部
２１  線状識別部
３２  脛覆い部
３３  口ゴム部
【図１】
2006124874.tif 000003
【図２】
2006124874.tif 000004
【図３】
2006124874.tif 000005